(57)【要約】【課題】大型化するのを抑制しながら、スピーカ本体の前面の開口率を向上させることが可能なスピーカを提供する。【解決手段】このスピーカ１は、音声を発生するスピーカ本体２０の前面を露出させる開状態と、スピーカ本体２０の前面を覆う閉状態とを切替可能に構成されるシャッタ１０を備え、シャッタ１０は、開状態または閉状態に切り替えられる際に作動される８つの板状部材１３を含むとともに、８つの板状部材１３のそれぞれが互いに重なり合うように作動されることにより、スピーカ本体２０を露出させる開状態に切り替えられるように構成されている。【選択図】図１
2009253368.tif 000002
【特許請求の範囲】
【請求項１】
音声を発生するスピーカ本体と、
前記スピーカ本体の前面を露出させる開状態と、前記スピーカ本体の前面を覆う閉状態とを切替可能に構成されるカバー機構とを備え、
前記カバー機構は、前記開状態または前記閉状態に切り替えられる際に作動される複数の板状部材を含むとともに、前記複数の板状部材のそれぞれが互いに重なり合うように作動されることにより、前記スピーカ本体を露出させる開状態に切り替えられるように構成されている、スピーカ。
【請求項２】
前記カバー機構の前記開状態または前記閉状態を、ユーザによって手動的に切り替えるための手動切替部をさらに備える、請求項１に記載のスピーカ。
【請求項３】
前記カバー機構は、前記複数の板状部材のそれぞれに接続され、回転することにより前記複数の板状部材を作動させる回転部材をさらに含み、
前記カバー機構の回転部材は、外周面に設けられた第１ギア部を有し、
前記手動切替部は、前記回転部材の第１ギア部に噛合する第２ギア部を有するつまみ部である、請求項２に記載のスピーカ。
【請求項４】
前記スピーカ本体をオン状態またはオフ状態に切り替えるための電源スイッチと、
前記カバー機構の開閉駆動を行う駆動部と、
前記駆動部の動作を制御する制御部とをさらに備え、
前記制御部は、ユーザによって前記電源スイッチがオンされることに応答して、前記駆動部に対して、前記カバー機構が前記開状態に切り替えられる制御を行うように構成されている、請求項１に記載のスピーカ。
【請求項５】
前記カバー機構の開閉駆動を行う駆動部と、
前記駆動部の動作を制御する制御部と、
前記スピーカ本体に音声信号が供給された際に前記音声信号を検出する検出部とをさらに備え、
前記制御部は、前記検出部が前記音声信号を検出した際に前記カバー機構が前記開状態に切り替えられる制御を行うように構成されている、請求項１に記載のスピーカ。
【発明の詳細な説明】
【技術分野】
【０００１】
この発明は、スピーカに関し、特に、音声を発生するスピーカ本体を保護するカバー機構を備えるスピーカに関する。
【背景技術】
【０００２】
従来、音声を発生するスピーカ本体を保護するカバー機構を備えるスピーカなどが知られている（たとえば、特許文献１〜４参照）。
【０００３】
上記特許文献１には、スピーカと、スピーカを保護するために設けられ、スピーカの前面を覆うように配置されるとともに、使用時には、スピーカの後方に移動されるシャッタとを備えたスピーカが開示されている。これにより、スピーカは、使用時には露出されるとともに、不使用時には、シャッタによって保護される。
【０００４】
また、上記特許文献２には、キャビネットと、キャビネットの前面に設けられるスピーカー部と、キャビネットの側面に設けられ、開閉可能に構成されるシャッター手段とを備えた音響装置が開示されている。この音響装置のスピーカー部の前面は、明記されていないが、カバーにより開閉不可能に固定的に覆われていると考えられる。
【０００５】
また、上記特許文献３には、互いに対向するように配置された２つのスピーカーと、一方のスピーカーを回動可能にするための回動軸とを備えたスピーカー装置が開示されている。このスピーカー装置は、２つのスピーカーの本体部分を保護するために、不使用時には、それぞれのスピーカーの本体部分が互いに対向するように配置される。その一方、使用時には、回動軸が設けられた一方のスピーカーを側方に向かって約１８０°回動させることにより、２つのスピーカーの両方が前方を向くように構成されている。これにより、２つのスピーカーは横方向に並んだ状態で使用される。その結果、２つのスピーカは、使用時には本体部分が露出されるとともに、不使用時には、本体部分が保護されることが可能となる。
【０００６】
また、上記特許文献４には、スピーカと、スピーカの前方に配置され、スピーカを保護するカバーと、カバーを回動可能にするためにカバーの下端部が取り付けられる回動軸を含むカバー支持部とを備えたスピーカ保護構造が開示されている。このスピーカ保護構造は、使用時に、下端部に設けられた回動軸を中心としてカバーを前方向に回動させることにより、スピーカを前方に露出させるように構成されている。
【０００７】
【特許文献１】特開平６−１２１３８４号公報
【特許文献２】特開平９−３０７９８４号公報
【特許文献３】特開平９−１０２９９４号公報
【特許文献４】特開平１０−２１０５８１号公報
【発明の開示】
【発明が解決しようとする課題】
【０００８】
しかしながら、上記特許文献１に記載のスピーカでは、使用時にスピーカの前面を前方に露出させるためにシャッタをスピーカの後方に移動させるので、スピーカの後方にシャッタを移動させるためのスペースが必要である。このため、シャッタをスピーカの後方に移動させるためのスペースの分、スピーカが大型化するのという問題点がある。
【０００９】
また、上記特許文献２に記載の音響装置では、スピーカー部の前面は、明記されていないが、カバーにより開閉不可能に固定的に覆われていると考えられる。このため、使用時に、スピーカー部の前面の開口率を向上させることが困難であるという問題点がある。
【００１０】
また、上記特許文献３に記載のスピーカー装置では、回動軸が設けられた一方のスピーカーを約１８０°回動させて横方向に並んだ状態で使用されるため、横方向にスピーカー２つ分のスペースが必要である。このため、スピーカー装置が横方向に大型化するという問題点がある。
【００１１】
また、上記特許文献４に記載のスピーカ保護構造では、使用時にカバーを前方向に回動させるので、前方にカバーを回動させるためのスペースが必要である。このため、スピーカ保護構造が搭載される装置が前方向にカバーを回動させた際に大型化するという問題点がある。
【００１２】
この発明は、上記のような課題を解決するためになされたものであり、この発明の１つの目的は、大型化するのを抑制しながら、スピーカ本体の前面の開口率を向上させること可能なスピーカを提供することである。
【課題を解決するための手段および発明の効果】
【００１３】
この発明の一の局面によるスピーカは、音声を発生するスピーカ本体と、スピーカ本体の前面を露出させる開状態と、スピーカ本体の前面を覆う閉状態とを切替可能に構成されるカバー機構とを備え、カバー機構は、開状態または閉状態に切り替えられる際に作動される複数の板状部材を含むとともに、複数の板状部材のそれぞれが互いに重なり合うように作動されることにより、スピーカ本体を露出させる開状態に切り替えられるように構成されている。
【００１４】
この一の局面によるスピーカでは、上記のように、音声を発生させるスピーカ本体の前面を露出させる開状態と、スピーカ本体の前面を覆う閉状態とを切替可能に構成されるカバー機構を設けることによって、カバー機構を、使用時にはスピーカ本体から発生される音声を遮蔽しないようにスピーカ本体の前面を露出させる開状態に切り替えるとともに、不使用時にはスピーカ本体の前面を覆う閉状態に切り替えるように構成することがことができる。これにより、使用時にはスピーカ本体の前面の開口率を向上させることができるともに、不使用時にはスピーカ本体を保護することができる。また、カバー機構を、開状態または閉状態に切り替えられる際に作動される複数の板状部材のそれぞれが互いに重なり合うように作動されることにより、スピーカ本体を露出させる開状態に切り替えられるように構成することによって、カバー機構は、閉状態から開状態に切り替えられた際に、板状部材が互いに重なり合う領域が大きくなるように作動されるため、カバー機構の板状部材を作動させるためのスペースが大きくならない。これにより、カバー機構が閉状態から開状態に切り替えられた際に、カバー機構が前後方向および横方向に移動する場合よりも、スピーカが大型化するのを抑制することができる。
【００１５】
上記一の局面によるスピーカにおいて、好ましくは、カバー機構の開状態または閉状態をユーザによって手動的に切り替えるための手動切替部をさらに備える。このように構成すれば、ユーザによって、容易に、使用時にはカバー機構を開状態に切り替えることができるとともに、不使用時にはカバー機構を閉状態に切り替えることができる。
【００１６】
この場合、好ましくは、カバー機構は、複数の板状部材のそれぞれに接続され、回転することにより複数の板状部材を作動させる回転部材をさらに含み、カバー機構の回転部材は、外周面に設けられた第１ギア部を有し、手動切替部は、回転部材の第１ギア部に噛合する第２ギア部を有するつまみ部である。このように構成すれば、ユーザは、つまみ部が回転させるだけで、使用時にはカバー機構を開状態に切り替えることができるとともに、不使用時にはカバー機構を閉状態に切り替えることができる。
【００１７】
上記一の局面によるスピーカにおいて、好ましくは、スピーカ本体に電源を供給するための電源スイッチと、カバー機構の開閉駆動を行う駆動部と、駆動部の動作を制御する制御部とをさらに備え、制御部は、ユーザによって電源スイッチがオンされることに応答して、駆動部に対して、カバー機構が開状態に切り替えられる制御を行うように構成されている。このように構成すれば、使用時には、ユーザによって電源スイッチがオンされた際に、カバー機構は、自動的に、開状態に切り替えられるので、使用時にカバー機構がスピーカ本体を自動的に露出させることができる。
【００１８】
上記一の局面によるスピーカにおいて、好ましくは、スピーカ本体に音声信号が供給された際に音声信号を検出する検出部とをさらに備え、制御部は、検出部が音声信号を検出した際にカバー機構が開状態に切り替れられる制御を行うように構成されている。このように構成すれば、検出部によってスピーカ本体に音声信号が検出された際に、カバー機構は、自動的に、開状態に切り替えられるので、スピーカ本体を露出させる期間を、スピーカ本体に音声信号が供給されてスピーカ本体によって音声が発生される期間のみにすることができる。これにより、スピーカ本体を露出させる期間を必要最小限度にすることができるので、カバー機構によってスピーカ本体をより確実に保護することができる。
【発明を実施するための最良の形態】
【００１９】
以下、本発明を具体化した実施形態を図面に基づいて説明する。
【００２０】
（第１実施形態）
図１および図２は、本発明の第１実施形態によるスピーカの全体構成を示した斜視図である。図３〜図７は、図１および図２に示したスピーカの詳細な構造を説明するための図である。まず、図１〜図７を参照して、本発明の第１実施形態によるスピーカ１の全体構成について説明する。
【００２１】
本発明の第１実施形態によるスピーカ１は、図１および図２に示すように、筐体２と、筐体２の前面２ａから前方（矢印Ｙ１方向）に向かって突出するように設けられるつまみ部３と、筐体２の上面２ｂに設けられ、スピーカ１をオン状態にするための電源ボタン４とを備える。また、筐体２の前面２ａの裏面には、前面２ａに設けられた開口部２ｃ（図３参照）を塞ぐように配置されたシャッタ１０が取り付けられている。このシャッタ１０は、つまみ部３がユーザによって回転されることにより、開状態および閉状態に切り替えられるように構成されている。この点については、後に説明する。なお、シャッタ１０は、本発明の「カバー機構」の一例である。
【００２２】
また、図２および図３に示すように、シャッタ１０の後方（矢印Ｙ２方向）には、スピーカ本体２０が配置されている。このスピーカ本体２０は、振動されることによって音声を発生させるコーン紙２１と、コーン紙２１を振動させるための振動部２２と、コーン紙２１の根元部分に接続されるキャップ２３とを有している。
【００２３】
ここで、第１実施形態では、シャッタ１０は、スピーカ本体２０（図２および図３参照）のコーン紙２１（図２および図３参照）の前面を覆う閉状態（図１参照）と、スピーカ本体２０の前面を露出させる開状態（図２参照）とがつまみ部３によって切替可能に構成されている。これにより、スピーカ１を使用しないとき（スピーカ本体２０から音声を発生させないとき）には、シャッタ１０がユーザによって閉状態に切り替えられれば、スピーカ本体２０を前方からの衝撃や埃などから保護することが可能となる。また、スピーカ１を使用するとき（スピーカ本体２０から音声を発生させるとき）には、シャッタ１０がユーザによって開状態に切り替えられれば、スピーカ本体２０から発生される音声の品質がシャッタ１０によって低下されるのを抑制することが可能となる。
【００２４】
また、第１実施形態では、シャッタ１０は、図３に示すように、つまみ部３によって回転される外側リング部材１１と、外側リング部材１１の内側に設けられ、外側リング部材１１の回転に伴って回転する内側リング部材１２と、外側リング部材１１および内側リング部材１２の回転に伴って作動する板状部材１３とを有している。なお、外側リング部材１１および内側リング部材１２は、本発明の「回転部材」の一例である。外側リング部材１１は、図４に示すように、外周面に設けられたギア部１１ａを有している。また、つまみ部３は、図３および図４に示すように、外側リング部材１１のギア部１１ａと噛合するギア部３ａを有している。これにより、外側リング部材１１は、つまみ部３がユーザによって回転されるのに伴って回転される。また、板状部材１３には、図３に示すように、最外端部近傍から前方（矢印Ｙ１方向）に向かって突出するように設けられたピン１４と、板状部材１３のピン１４よりも内側に配置されるとともに、前方に突出するように設けられたピン１５とが固定的に取り付けられている。
【００２５】
また、外側リング部材１１は、図３に示すように、ピン１４が回転可能に挿入される穴部１１ｂを有している。また、内側リング部材１２は、図５に示すように、ピン１５がスライド可能に挿入される長穴部１２ａを有している。
【００２６】
また、第１実施形態では、シャッタ１０の板状部材１３は、外側リング部材１１および内側リング部材１２の回転中心を中心として約４５°毎に８つ設けられている。８つの板状部材１３は、それぞれが重なり合うように配置されているとともに、それぞれがピン１４および１５を有している。これらピン１４および１５に対応して、外側リング部材１１の穴部１１ｂおよび内側リング部材１２の長穴部１２ａもそれぞれ８つずつ設けられている。また、ピン１４は、外側リング部材１１が回転するのに伴って移動されるとともに、板状部材１３と共に回転するように構成されている。また、ピン１５は、外側リング部材１１および内側リング部材１２が回転するのに伴って、内側リング部材１２の長穴部１２ａの内部をスライドするように構成されている。また、外側リング部材１１は、ピン１５の移動可能な範囲（長穴部１２ａの長手方向の長さ）だけ移動可能なように構成されている。また、８つの板状部材１３は、外側リング部材１１が回転された際には、それぞれが互いに重なり合う部分が大きくなる方向にピン１４を中心として回動されるように構成されている。
【００２７】
図６および図７は、本発明の第１実施形態によるスピーカのシャッタの動作を説明するための図である。次に、図１、図２および図４〜図７を参照して、第１実施形態によるシャッタ１０の動作について説明する。
【００２８】
まず、図５に示すように、シャッタ１０が閉状態から開状態に切り替えられる際には、つまみ部３のギア部３ａが矢印Ａ１方向に回転される。ギア部３ａの矢印Ａ１方向への回転に伴って、つまみ部３のギア部３ａ（図４参照）と噛合するギア部１１ａ（図４参照）を有する外側リング部材１１が矢印Ａ２方向に回転され、外側リング部材１１と共に内側リング部材１２が矢印Ａ２方向に回転される。このとき、ピン１４が外側リング部材１１と共に矢印Ａ２方向に移動されながら、板状部材１３は、シャッタ１０の中心部側の端部が外側方向へ向かって移動するようにピン１４を中心として時計方向に回動される。また、ピン１５は、長穴部１２ａの時計方向の反対側端部から、外側リング部材１１および内側リング部材１２が回転する方向（矢印Ａ２方向）に向かって長穴部１２ａをスライドされる。
【００２９】
そして、図６に示すように、８つの板状部材１３のシャッタ１０の中心部側の端部が外側方向へ向かって移動することにより、シャッタ１０の中央部が開かれる。そして、つまみ部３を矢印Ａ１方向にさらに回転させることにより、外側リング部材１１が矢印Ａ２方向にさらに回転され、外側リング部材１１と共に内側リング部材１２が矢印Ａ２方向にさらに回転される。このとき、ピン１４が外側リング部材１１と共に矢印Ａ２方向に移動されながら、板状部材１３は、シャッタ１０の中心部側の端部が外側方向へ向かってさらに移動するようにピン１４を中心として時計方向に回動される。そして、図７に示すように、ピン１５が長穴部１２ａの時計方向の端部に到達された際に、外側リング部材１１の移動が停止されるとともに、シャッタ１０は、スピーカ本体２０を露出させる開状態となる。
【００３０】
そして、シャッタ１０を図７に示す開状態から図５に示す閉状態に切り替える際には、つまみ部３を矢印Ａ１方向（図５参照）の逆方向に回転させることにより、上記した動作と逆の動作が行われる。
【００３１】
第１実施形態では、上記のように、音声を発生させるスピーカ本体２０の前面を露出させる開状態と、スピーカ本体２０の前面を覆う閉状態とを切替可能に構成されるシャッタ１０を設けることによって、シャッタ１０を、使用時にはスピーカ本体２０から発生される音声を遮蔽しないようにスピーカ本体２０の前面を露出させる開状態に切り替えるとともに、不使用時にはスピーカ本体２０の前面を覆う閉状態に切り替えるように構成することがことができる。これにより、スピーカ１の使用時にはスピーカ本体２０の前面の開口率を向上させることができるとともに、不使用時にはスピーカ本体２０を保護することができる。また、シャッタ１０を、開状態または閉状態に切り替えられる際に作動される８つの板状部材１３のそれぞれが互いに重なり合うように作動されることにより、スピーカ本体２０を露出させる開状態に切り替えられるように構成することによって、シャッタ１０は、閉状態から開状態に切り替えられた際に、板状部材１３が互いに重なり合う領域が大きくなるように作動されるため、シャッタ１０の板状部材１３を作動させるためのスペースが大きくならない。これにより、シャッタ１０が閉状態から開状態に切り替えられた際に、シャッタ１０が前後方向および横方向に移動する場合よりも、スピーカ１が大型化するのを抑制することができる。
【００３２】
また、第１実施形態では、上記のように、シャッタ１０の開状態または閉状態をユーザによって手動的に切り替えるためのつまみ部３を設けることによって、ユーザにより、容易に、スピーカ１の使用時にはシャッタ１０を開状態に切り替えることができるとともに、不使用時にはシャッタ１０を閉状態に切り替えることができる。
【００３３】
また、第１実施形態では、上記のように、シャッタ１０に、外周面に設けられたギア部１１ａを有するとともに、複数の板状部材１３のそれぞれに接続され、回転することにより複数の板状部材１３を作動させる外側リング部材１１と、内側リング部材１２とをそれぞれ設け、つまみ部３に外側リング部材１１のギア部１１ａと噛合するギア部３ａを設ける。これにより、ユーザは、つまみ部３が回転させるだけで、使用時にはシャッタ１０を開状態に切り替えることができるとともに、不使用時にはシャッタ１０を閉状態に切り替えることができる。
【００３４】
（第２実施形態）
図８は、本発明の第２実施形態によるスピーカの全体構成を示した斜視図である。また、図９は、図８に示した第２実施形態によるシャッタの構造を説明するための断面図である。また、図１０は、図８に示したスピーカの構成を説明するためのブロック図である。以下、図８〜図１０を参照して、本発明の第２実施形態によるスピーカの構成について説明する。この第２実施形態では、上記第１実施形態とは異なり、電源ボタン４４のオンまたはオフされることに応答してシャッタ１０が自動的に開状態および閉状態に切り替えられる例について説明する。
【００３５】
この第２実施形態では、図８に示すように、スピーカ１ａの筐体の上面には、スピーカ本体２０をオン状態またはオフ状態にするための電源ボタン４４が設けられている。また、スピーカ１ａは、図９および図１０に示すように、電源ボタン４４が接続される制御部５１（図１０参照）と、シャッタ１０の開閉駆動を行うステッピングモータ５２と、外部からの音声信号を増幅した状態でスピーカ本体２０に供給するパワーアンプ５３（図１０参照）とを備えている。制御部５１は、スピーカ１ａに接続されるＣＤプレイヤーなどの電子機器から入力された音声信号をパワーアンプ５３に供給するように構成されている。なお、電源ボタン４４は、本発明の「電源スイッチ」の一例であり、ステッピングモータ５２は、本発明の「駆動部」の一例である。
【００３６】
また、ステッピングモータ５２は、図９に示すように、シャッタ１０の後方に配置されている。また、ステッピングモータ５２の回転軸５２ａの端部には、シャッタ１０の外側リング部材１１のギア部１１ａと噛合するギア５４が取り付けられている。これにより、シャッタ１０は、ステッピングモータ５２の駆動によって、作動されることが可能となる。
【００３７】
また、第２実施形態では、電源ボタン４４は、ユーザによって電源ボタン４４がオンされるのに応答して、制御部５１は、ステッピングモータ５２の駆動制御を行うように構成されている。具体的には、制御部５１は、ユーザによって電源ボタン４４がオンされた際に、シャッタ１０が開状態になるようにステッピングモータ５２を正方向（図５の矢印Ａ１方向）に所定のステップ数回転させるように構成されている。また、制御部５１は、ユーザによって電源ボタン４４がオフされた場合には、シャッタ１０が閉状態になるようにステッピングモータ５２を逆方向（図５の矢印Ａ１方向）に所定のステップ数回転させるように構成されている。
【００３８】
図１１は、図８に示した本発明の第２実施形態によるスピーカのシャッタの開閉駆動の制御を説明するためのフローチャートである。次に、図５〜図７、図９〜図１１を参照して、制御部５１によるシャッタ１０の開閉駆動の制御動作について説明する。なお、この第２実施形態では、スピーカ本体２０の電源ボタン４４がオフ状態である場合にも、図示しないＡＣコードがコンセントに接続されている場合には、制御部５１は、動作可能であるとする。
【００３９】
まず、図１１に示すように、ステップＳ１において、ユーザによって電源ボタン４４がオンされたか否かが制御部５１により判断され、電源ボタン４４がオンされていないと判断された場合には、ユーザによって電源ボタン４４がオンされるまでこの判断が繰り返される。ステップＳ１において、ユーザによって電源ボタン４４がオンされたと判断された場合には、ステップＳ２に移行して、ステッピングモータ５２を正方向（図５の矢印Ａ１方向）に所定のステップ数回転させることにより、シャッタ１０が図７に示す閉状態から、図６に示す中間状態を経て、図５に示す開状態に切り替えられ、ステップＳ３に移行する。
【００４０】
そして、ステップＳ３において、ユーザによって電源ボタン４４がオフされたか否かが判断され、電源ボタン４４がオフされたと判断されるまでこの判断が繰り返される。そして、ステップＳ３において、ユーザによって電源ボタン４４がオフされたと判断された場合には、ステップＳ４に移行して、ステッピングモータ５２を逆方向（図５の矢印Ａ１方向とは逆方向）に回転させることにより、シャッタ１０が図５に示す開状態から、図６に示す中間状態を経て、図７に示す閉状態に切り替えられる。これにより、スピーカ１ａを使用しないオフ状態の場合には、スピーカ本体２０（図７参照）を確実にシャッタ１０（図５参照）によって保護することが可能となる。そして、ステップＳ５に移行して、スピーカ１ａがオフ状態にされる。そして、ステップＳ１に戻り、処理が繰り返される。
【００４１】
なお、第２実施形態のその他の構成および動作は、第１実施形態と同様である。
【００４２】
第２実施形態では、上記のように、スピーカ本体２０をオン状態またはオフ状態にするための電源ボタン４４と、シャッタ１０の開閉駆動を行うステッピングモータ５２と、ステッピングモータ５２の動作を制御する制御部５１とを設け、制御部５１を、ユーザによって電源ボタン４４がオンされることに応答して、ステッピングモータ５２を正方向に所定のステップ数回転させることにより、シャッタ１０が開状態に切り替わる制御を行うように構成する。これにより、使用時には、ユーザによって電源ボタン４４がオンされた際に、シャッタ１０は、制御部５１によって自動的に開状態に切り替えられるので、使用時にシャッタ１０がスピーカ本体２０を自動的に露出させることができる。
【００４３】
なお、第２実施形態のその他の効果は、上記第１実施形態の効果と同様である。
【００４４】
（第３実施形態）
図１２は、本発明の第３実施形態によるスピーカの構成を説明するためのブロック図である。以下、図１２を参照して、本発明の第３実施形態によるスピーカの構成について説明する。この第３実施形態では、上記第１実施形態および第２実施形態とは異なり、制御部７１がステッピングモータ５２に対して、外部から入力される音声信号の検出状態に応じた駆動制御を行うことにより、シャッタ１０が開状態および閉状態に自動的に切り替えられる例について説明する。
【００４５】
第３実施形態では、図１２に示すように、制御部７１は、スピーカ１ｂに接続されるＣＤプレイヤなどの電子機器から入力された音声信号が検出されているか否かを判断するように構成されている。このとき、制御部７１は、外部からの音声信号の検出状態に応答してステッピングモータ５２に対する駆動制御を行うように構成されている。なお、制御部７１は、本発明の「検出部」の一例である。なお、この第３実施形態のスピーカ１ｂの構造は、図８および図９に示した第２実施形態のスピーカ１ａの構造と同じである。
【００４６】
具体的には、制御部７１は、外部からの音声信号が入力されたことが検出された際に、シャッタ１０が開状態になるようにステッピングモータ５２を正方向（図５の矢印Ａ１方向）に所定のステップ数回転させるように構成されている。また、制御部５１は、外部からの音声信号が検出されない際に、シャッタ１０が閉状態になるようにステッピングモータ５２を逆方向（図５の矢印Ａ１方向）に所定のステップ数回転させるように構成されている。
【００４７】
図１３は、図１２に示した本発明の第３実施形態によるスピーカのシャッタの開閉駆動の制御を説明するためのフローチャートである。次に、図５〜図７および図１３を参照して、制御部７１によるシャッタ１０の開閉駆動の制御動作について説明する。
【００４８】
まず、図１３に示すように、ステップＳ１１において、音声信号が入力されたことを検出されたか否かが制御部７１により判断され、音声信号を検出していないと判断された場合には、音声信号が検出されるまでこの判断が繰り返される。ステップＳ１１において、音声信号が入力されたことを検出されたと判断された場合には、ステップＳ１２に移行して、ステッピングモータ５２を正方向（図５の矢印Ａ１方向）に所定のステップ数回転させることにより、シャッタ１０が図７に示す閉状態から、図６に示す中間状態を経て、図５に示す開状態に切り替えられ、ステップＳ１３に移行する。
【００４９】
そして、ステップＳ１３において、音声信号が入力されたことを検出中か否かが判断され、音声信号が検出されなくなるまでこの判断が繰り返される。そして、ステップＳ１３において、音声信号が検出されていないと判断された場合には、ステップＳ１４に移行して、ステッピングモータ５２を逆方向（図５の矢印Ａ１方向とは逆方向）に回転させることにより、シャッタ１０が図５に示す開状態から、図６に示す中間状態を経て、図７に示す閉状態に切り替えられる。これにより、スピーカ本体２０（図７参照）を使用しない場合である音声信号を検出されていない場合には、スピーカ本体２０を確実にシャッタ１０（図５参照）によって保護することが可能となる。そして、ステップＳ１１に戻り、処理が繰り返される。
【００５０】
なお、第３実施形態のその他の構成および動作は、第１実施形態および第２実施形態と同様である。
【００５１】
第３実施形態では、上記のように、スピーカ本体２０に音声信号が供給された際に音声信号を検出する制御部７１を、音声信号を検出された際にシャッタ１０が開状態に切り替れられるようにステッピングモータ５２を所定のステップ数だけ正方向に回転させる制御を行うように構成することによって、制御部７１により、スピーカ本体２０に音声信号が検出された際に、シャッタ１０は、開状態に切り替えられるので、スピーカ本体２０を露出させる期間を、スピーカ本体２０に音声信号が供給されてスピーカ本体２０によって音声が発生される期間のみにすることができる。これにより、スピーカ本体２０を露出させる期間を、必要最小限度にすることができるので、シャッタ１０によってスピーカ本体２０をより確実に保護することができる。
【００５２】
なお、第３実施形態のその他の効果は、上記第１実施形態の効果と同様である。
【００５３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５４】
たとえば、上記第１〜第３実施形態では、シャッタの板状部材を８つ設ける例を示したが、本発明はこれに限らず、板状部材を７つ以下または９つ以上設けてもよい。
【００５５】
また、上記第２実施形態および第３実施形態では、駆動部の一例としてステッピングモータを示したが、本発明はこれに限らず、サーボモータやソレノイドなどその他の駆動部を用いてもよい。
【００５６】
また、上記第３実施形態では、制御部が外部からの音声信号を検出する例を示したが、本発明はこれに限らず、制御部とは別個に音声信号検出部を設けてもよい。
【図面の簡単な説明】
【００５７】
【図１】本発明の第１実施形態によるスピーカの全体構成を示した斜視図である。
【図２】本発明の第１実施形態によるスピーカの全体構成を示した斜視図である。
【図３】図１に示した第１実施形態によるスピーカのシャッタの構造を説明するための断面図である。
【図４】図３に示した第１実施形態によるスピーカの外側リング部材とつまみ部との噛合構造を説明するための拡大正面図である。
【図５】図１に示した第１実施形態によるスピーカのシャッタの構造を説明するための正面図である。
【図６】図１に示した第１実施形態によるスピーカのシャッタの動作を説明するための正面図である。
【図７】図１に示した第１実施形態によるスピーカのシャッタの動作を説明するための正面図である。
【図８】本発明の第２実施形態によるスピーカの全体構成を示した斜視図である。
【図９】図８に示した第２実施形態によるスピーカのシャッタの構造を説明するための断面図である。
【図１０】図９に示した第２実施形態によるスピーカの構成を説明するためのブロック図である。
【図１１】図９に示した第２実施形態によるスピーカの動作を説明するためのフローチャートである。
【図１２】本発明の第３実施形態によるスピーカの構成を説明するためのブロック図である。
【図１３】図１２に示したの第３実施形態によるスピーカの動作を説明するためのフローチャートである。
【符号の説明】
【００５８】
１、１ａ、１ｂ  スピーカ
３  つまみ部（手動切替部）
３ａ  ギア部（第２ギア部）
４、４４  電源ボタン（電源スイッチ）  
１０  シャッタ（カバー機構）
１１  外側リング部材（回転部材）
１１ａ  ギア部（第１ギア部）
１２  内側リング部材（回転部材）
１３  板状部材
２０  スピーカ本体
５１  制御部
５２  ステッピングモータ（駆動部）
７１  制御部（検出部）
【図１】
2009253368.tif 000003
【図２】
2009253368.tif 000004
【図３】
2009253368.tif 000005
【図４】
2009253368.tif 000006
【図５】
2009253368.tif 000007
【図６】
2009253368.tif 000008
【図７】
2009253368.tif 000009
【図８】
2009253368.tif 000010
【図９】
2009253368.tif 000011
【図１０】
2009253368.tif 000012
【図１１】
2009253368.tif 000013
【図１２】
2009253368.tif 000014
【図１３】
2009253368.tif 000015